(57)【要約】【課題】  試験操作者が介在しなくても音声の正常性を確認する。【解決手段】  ネットワークを介して音声データを送受信する通信部１０１と、外部制御装置４００に接続された外部通信部１０７と、通信部１０１を介してネットワークから受信した音声データが特定のテスト音声データであるかどうかを判断し、その判断結果を外部通信部１０７を介して外部制御装置４００へ通知するテスト音声制御部１０６とを有する携帯端末装置１００。【選択図】  図１
2011082791.tif 000002
【特許請求の範囲】
【請求項１】
ネットワークを介して音声データを送受信する通信部と、
外部制御装置に接続された外部通信部と、
通信部を介してネットワークから受信した音声データが特定のテスト音声データであるかどうかを判断し、その判断結果を外部通信部を介して外部制御装置へ通知するテスト音声制御部とを有することを特徴とする携帯端末装置。
【請求項２】
前記テスト音声制御部は、前記特定のテスト音声データを生成し前記通信部を介して前記ネットワークに送信することを特徴とする請求項１に記載の携帯端末装置。
【請求項３】
前記特定のテスト音声データであるかどうかの判断は、音声の正常性を確認するコマンドに基いて行われることを特徴とする請求項１又は２に記載の携帯端末装置。
【請求項４】
第１の携帯端末装置と第２の携帯端末装置とがネットワークを介して相互に音声データを送受信する携帯端末システムであって、
第１の携帯端末装置は、
ネットワークを介して音声データを送受信する第１の通信部と、第１の外部制御装置に接続された第１の外部通信部と、第１のテスト音声制御部とを有し、
第２の携帯端末装置は、
ネットワークを介して音声データを送受信する第２の通信部と、第２の外部制御装置に接続された第２の外部通信部と、第２のテスト音声制御部とを有し、
第１の携帯端末装置は、第１のテスト音声制御部により生成された特定のテスト音声データを第１の通信部からネットワークを介して第２の携帯端末装置の第２の通信部に送信し、第２のテスト音声制御部は第２の通信部から送られてきた音声データが特定のテスト音声データであるかどうかを判断し、その判断結果を第２の外部通信部を介して第２の外部制御装置へ通知することを特徴とする携帯端末システム。
【請求項５】
前記第２の携帯端末装置は、前記第２のテスト音声制御部により生成された特定のテスト音声データを前記第２の通信部から前記ネットワークを介して前記第１の携帯端末装置の前記第１の通信部に送信し、前記第１のテスト音声制御部は前記第１の通信部から送られてきた音声データが特定のテスト音声データであるかどうかを判断し、その判断結果を前記第１の外部通信部を介して前記第１の外部制御装置へ通知することを特徴とする請求項４に記載の携帯端末システム。
【請求項６】
前記特定のテスト音声データであるかどうかの判断は、音声の正常性を確認するコマンドに基いて行われることを特徴とする請求項４又は５に記載の携帯端末システム。
【請求項７】
携帯端末装置とテスト音声サーバとがネットワークを介して相互に音声データを送受信する携帯端末システムであって、
携帯端末装置は、ネットワークを介して音声データを送受信する通信部と、外部制御装置に接続された外部通信部と、テスト音声制御部とを有し、
テスト音声サーバは、ネットワークを通じて携帯端末装置から特定のテスト音声データを受け取った場合に、音声の正常性を確認すると共にネットワークを通じて携帯端末装置へ同じ特定のテスト音声データを折り返し送信し、
携帯端末装置は、テスト音声サーバから折り返し送信された特定のテスト音声データを通信部により受信してテスト音声制御部に送り、テスト音声制御部は通信部から送られてきた音声データが特定のテスト音声データであるかどうかを判断し、その判断結果を外部通信部を介して外部制御装置へ通知することを特徴とする携帯端末システム。
【請求項８】
前記特定のテスト音声データであるかどうかの判断は、音声の正常性を確認するコマンドに基いて行われることを特徴とする請求項７に記載の携帯端末システム。
【請求項９】
第１の携帯端末装置と第２の携帯端末装置とがネットワークを介して相互に音声データを送受信する携帯端末システムの試験方法であって、
第１の携帯端末装置は、
ネットワークを介して音声データを送受信する第１の通信部と、第１の外部制御装置に接続された第１の外部通信部と、第１のテスト音声制御部とを有し、
前記第２の携帯端末装置は、
前記ネットワークを介して音声データを送受信する第２の通信部と、第２の外部制御装置に接続された第２の外部通信部と、第２のテスト音声制御部とを有し、
第１の外部制御装置は、インターフェース規則に則りテスト音声を送信するよう第１の外部通信部へ通知し、
第１の外部通信部は、第１の外部制御装置からテスト音声を送信する通知があった場合に、第１のテスト音声制御部に対してあらかじめ決められた特定のテスト音声データを生成し送信するよう指示し、
第１のテスト音声制御部は、第１の外部通信部からの指示により特定のテスト音声データを生成し第１の通信部へ送り、
第１の通信部はネットワークへ特定のテスト音声データを送信し、
前記第２の通信部は前記ネットワークから音声データを受信し、
前記第２の通信部で受信した音声データを前記第２のテスト音声制御部に送り、
前記第２のテスト音声制御部は前記第２の通信部から送られてきた音声データが前記特定のテスト音声データであるかどうかを判断し、
この音声データの判断結果を前記第２の外部通信部へ通知し、
前記第２の外部通信部は前記第２のテスト音声制御部から通知される判断結果をインターフェース規則に則り前記第２の外部制御装置へ通知することを特徴とする携帯端末システムの試験方法。
【請求項１０】
前記第２の外部制御装置は、インターフェース規則に則りテスト音声を送信するよう前記第２の外部通信部へ通知し、
前記第２の外部通信部は、前記第２の外部制御装置からテスト音声を送信する通知があった場合に、前記第２のテスト音声制御部に対して特定のテスト音声データを生成し送信するよう指示し、
前記第２のテスト音声制御部は、前記第２の外部通信部からの指示により特定のテスト音声データを生成し前記第２の通信部へ送り、
前記第２の通信部は前記ネットワークへ特定のテスト音声データを送信し、
前記第１の通信部は前記ネットワークから音声データを受信し、
前記第１の通信部で受信した音声データを前記第１のテスト音声制御部に送り、
前記第１のテスト音声制御部は前記第１の通信部から送られてきた音声データが前記特定のテスト音声データであるかどうかを判断し、
この音声データの判断結果を前記第１の外部通信部へ通知し、
前記第１の外部通信部は前記第１のテスト音声制御部から通知される判断結果をインターフェース規則に則り前記第１の外部制御装置へ通知することを特徴とする請求項９に記載の携帯端末システムの試験方法。
【請求項１１】
前記特定のテスト音声データであるかどうかの判断は、音声の正常性を確認するコマンドに基いて行われることを特徴とする請求項９又は１０に記載の携帯端末システムの試験方法。
【請求項１２】
携帯端末装置とテスト音声サーバとがネットワークを介して相互に音声データを送受信する携帯端末システムの試験方法であって、
携帯端末装置は、ネットワークを介して音声データを送受信する通信部と、外部制御装置に接続された外部通信部と、テスト音声制御部とを有し、
テスト音声サーバは、ネットワークを通じて携帯端末装置から特定のテスト音声データを受け取った場合に、音声の正常性を確認すると共にネットワークを通じて携帯端末装置へ同じ特定のテスト音声データを折り返し送信し、
携帯端末装置は、テスト音声サーバから折り返し送信された特定のテスト音声データを通信部により受信してテスト音声制御部に送り、
テスト音声制御部は通信部から送られてきた音声データが特定のテスト音声データであるかどうかを判断し、
この音声データの判断結果を前記外部通信部へ通知し、
前記外部通信部は前記第テスト音声制御部から通知される判断結果をインターフェース規則に則り前記外部制御装置へ通知することを特徴とする携帯端末システムの試験方法。
【請求項１３】
前記特定のテスト音声データであるかどうかの判断は、音声の正常性を確認するコマンドに基いて行われることを特徴とする請求項１２に記載の携帯端末システムの試験方法。
【発明の詳細な説明】
【技術分野】
【０００１】
本発明は、携帯端末装置、携帯端末システム及び携帯端末システムの試験方法に関する。
【背景技術】
【０００２】
従来、携帯端末装置の通信試験作業を自動で行う場合、例えば、特開２００９−５５１５３号公報（特許文献１）に記載されているように、通信における音声の正常性を確認するため外部に治具等を準備しスピーカ部から出力される音声を監視する必要がある。
【０００３】
しかし、様々な無線環境下で試験を行うことを想定した場合、大がかりな治具を導入することは大変困難であるという問題があった。
【０００４】
また、携帯端末装置の無線通信部分を外部から制御するためのコマンドは有するものの、音声の正常性を確認するコマンドがないため、通信自体の自動化はできても音声の確認を自動化できないという問題があった。
【先行技術文献】
【特許文献】
【０００５】
【特許文献１】特開２００９−５５１５３号公報
【発明の概要】
【発明が解決しようとする課題】
【０００６】
本発明の目的は、上述した課題を解決するための技術を提供することにあり、試験操作者が介在しなくても音声の正常性を確認することが可能な携帯端末装置、携帯端末システム及び携帯端末システムの試験方法を提供することにある。
【課題を解決するための手段】
【０００７】
本発明に係る携帯端末装置は、
ネットワークを介して音声データを送受信する通信部と、
外部制御装置に接続された外部通信部と、
通信部を介してネットワークから受信した音声データが特定のテスト音声データであるかどうかを判断し、その判断結果を外部通信部を介して外部制御装置へ通知するテスト音声制御部とを有することを特徴とする。
【０００８】
また、本発明は、携帯端末装置とテスト音声サーバとがネットワークを介して相互に音声データを送受信する携帯端末システムであって、
携帯端末装置は、ネットワークを介して音声データを送受信する通信部と、外部制御装置に接続された外部通信部と、テスト音声制御部とを有し、
テスト音声サーバは、ネットワークを通じて携帯端末装置から特定のテスト音声データを受け取った場合に、音声の正常性を確認すると共にネットワークを通じて携帯端末装置へ同じ特定のテスト音声データを折り返し送信し、
携帯端末装置は、テスト音声サーバから折り返し送信された特定のテスト音声データを通信部により受信してテスト音声制御部に送り、テスト音声制御部は通信部から送られてきた音声データが特定のテスト音声データであるかどうかを判断し、その判断結果を外部通信部を介して外部制御装置へ通知することを特徴とする。
【０００９】
また、本発明は、第１の携帯端末装置と第２の携帯端末装置とがネットワークを介して相互に音声データを送受信する携帯端末システムの試験方法であって、
第１の携帯端末装置は、
ネットワークを介して音声データを送受信する第１の通信部と、第１の外部制御装置に接続された第１の外部通信部と、第１のテスト音声制御部とを有し、
前記第２の携帯端末装置は、
前記ネットワークを介して音声データを送受信する第２の通信部と、第２の外部制御装置に接続された第２の外部通信部と、第２のテスト音声制御部とを有し、
第１の外部制御装置は、インターフェース規則に則りテスト音声を送信するよう第１の外部通信部へ通知し、
第１の外部通信部は、第１の外部制御装置からテスト音声を送信する通知があった場合に、第１のテスト音声制御部に対してあらかじめ決められた特定のテスト音声データを生成し送信するよう指示し、
第１のテスト音声制御部は、第１の外部通信部からの指示により特定のテスト音声データを生成し第１の通信部へ送り、
第１の通信部はネットワークへ特定のテスト音声データを送信し、
前記第２の通信部は前記ネットワークから音声データを受信し、
前記第２の通信部で受信した音声データを前記第２のテスト音声制御部に送り、
前記第２のテスト音声制御部は前記第２の通信部から送られてきた音声データが前記特定のテスト音声データであるかどうかを判断し、
この音声データの判断結果を前記第２の外部通信部へ通知し、
前記第２の外部通信部は前記第２のテスト音声制御部から通知される判断結果をインターフェース規則に則り前記第２の外部制御装置へ通知することを特徴とする。
【００１０】
また、本発明は、携帯端末装置とテスト音声サーバとがネットワークを介して相互に音声データを送受信する携帯端末システムの試験方法であって、
携帯端末装置は、ネットワークを介して音声データを送受信する通信部と、外部制御装置に接続された外部通信部と、テスト音声制御部とを有し、
テスト音声サーバは、ネットワークを通じて携帯端末装置から特定のテスト音声データを受け取った場合に、音声の正常性を確認すると共にネットワークを通じて携帯端末装置へ同じ特定のテスト音声データを折り返し送信し、
携帯端末装置は、テスト音声サーバから折り返し送信された特定のテスト音声データを通信部により受信してテスト音声制御部に送り、
テスト音声制御部は通信部から送られてきた音声データが特定のテスト音声データであるかどうかを判断し、
この音声データの判断結果を前記外部通信部へ通知し、
前記外部通信部は前記第テスト音声制御部から通知される判断結果をインターフェース規則に則り前記外部制御装置へ通知することを特徴とする。
【発明の効果】
【００１１】
本発明によれば、試験操作者が介在しなくても音声の正常性を確認することができる。
【図面の簡単な説明】
【００１２】
【図１】本発明の第１の実施の形態に係る携帯端末装置の構成及び携帯端末システムの構成を示す図である。
【図２】本発明の第２の実施の形態に係る携帯端末装置の構成及携帯端末システムの構成を示す図である。
【図３】関連技術に係る携帯端末装置の構成を示す図である。
【発明を実施するための形態】
【００１３】
最初に、本発明の理解を容易にするために、図３を参照して、関連技術に係る携帯端末装置３０について説明する。
【００１４】
図３において、通信部３１は携帯端末装置３０が無線を介してネットワークと音声データを通信する。音声受信部３２は通信部３１を通じてネットワークから受信した音声データを、スピーカ部３３へ出力する音声に変換する。音声送信部３４はマイク部３５から入力された音声を通信部３１を通じてネットワークへ送信可能な音声データに変換する。外部通信部３６は携帯端末装置３０に外部制御装置３００を接続して使用する場合の外部制御装置３００との入出力インターフェースを制御する。
【００１５】
しかしながら、関連技術に係る携帯端末装置３０においては、次のような問題点（課題）がある。
【００１６】
第１の問題点は、携帯端末装置３０の通信試験作業を自動で行う場合、上記特許文献１に記載のように、通信における音声の正常性を確認するため外部に治具等を準備しスピーカ部３３から出力される音声を監視する必要がある。しかし、様々な無線環境下で試験を行うことを想定した場合、大がかりな治具を導入することは大変困難である。
【００１７】
第２の問題点は、携帯端末装置３０の無線通信部分を外部から制御するためのコマンドは有するものの、音声の正常性を確認するコマンドがないため、通信自体の自動化はできても音声の確認を自動化できないということである。
【００１８】
そこで、本発明は特定の音声データを受信し識別可能なテスト音声制御部を有する携帯端末装置を提供する。
【００１９】
次に、本発明の実施の形態について図面を参照して詳細に説明する。
【００２０】
（第１の実施の形態）
図１を参照して、本発明の第１の実施の形態に係る携帯端末装置の構成及び携帯端末システムの構成について説明する。
【００２１】
携帯端末装置１００及び携帯端末装置２００は、無線を介してネットワークを通じて相互に音声データを送受信する。
【００２２】
携帯端末装置１００は、通信部１０１、音声受信部１０２、スピーカ部１０３、音声送信部１０４、マイク部１０５、テスト音声制御部１０６、外部通信部１０７を有する。外部通信部１０７は外部制御装置４００と接続されるようになっている。
【００２３】
また、携帯端末装置２００は、その基本構成は携帯端末装置１００と同じであり、通信部２０１、音声受信部２０２、スピーカ部２０３、音声送信部２０４、マイク部２０５、テスト音声制御部２０６、外部通信部２０７を有する。外部通信部２０７は外部制御装置５００と接続されるようになっている。
【００２４】
テスト音声制御部１０６、２０６は特定のテスト音声データを生成し通信部１０１、２０１へ送信し、また通信部１０１、２０１から送られてくる音声データが特定のテスト音声データであるかどうかを判断し、その結果を外部通信部１０７、２０７へ通知する。外部通信部１０７、２０７はテスト音声制御部１０６、２０６が判断した結果をインターフェース規則に則り外部制御装置４００、５００へ通知する。
【００２５】
次に、本発明の第１の実施の形態に係る携帯端末装置及び携帯端末システムの動作について説明する。
【００２６】
まず、図１において、携帯端末装置１００、２００があらかじめ決められた特定の音声データを送信する場合について説明する。
【００２７】
外部制御装置４００、５００は、インターフェース規則に則り、テスト音声を送信するよう外部通信部１０７、２０７へ通知する。
【００２８】
外部通信部１０７、２０７は、外部制御装置４００、５００からテスト音声を送信する通知があったら、テスト音声制御部１０６、２０６に対してあらかじめ決められた特定のテスト音声データを生成し送信するよう指示する。
【００２９】
テスト音声制御部１０６、２０６は、外部通信部１０７、２０７からの指示によりあらかじめ決められた特定のテスト音声データを生成し通信部１０１、２０１へ送る。
【００３０】
テスト音声制御部１０６、２０６で生成された特定のテスト音声データは通信部１０１、２０１へ送られ、通信部１０１、２０１は無線を介してネットワークへ特定のテスト音声データを送信する。また、通信部１０１、２０１は音声送信部１０４、２０４からマイク部１０５、２０５を通じて外部から入力される音声データもネットワークへ送信する。
【００３１】
次に、携帯端末装置１００、２００があらかじめ決められた特定のテスト音声データを受信する場合について説明する。
【００３２】
通信部１０１、２０１は無線を介してネットワークから特定のテスト音声データを受信する。
【００３３】
通信部１０１、２０１で受信した特定のテスト音声データはテスト音声制御部１０６、２０６へ送られ、テスト音声制御部１０６、２０６は通信部１０１、２０１から受け渡される音声データが特定のテスト音声データであるかどうかを判断する。また、特定のテスト音声データ以外の音声データは音声送信部１０２、２０２からスピーカ部１０３、２０３を通じて外部へ音声として出力される。
【００３４】
テスト音声制御部１０６、２０６は通信部１０１、２０１からテスト音声データを受け取り、特定のテスト音声データであるかどうかを判断し、テスト音声制御部１０６、２０６で行われた音声データの判断結果を外部通信部１０７、２０７へ通知する。
【００３５】
外部通信部１０７、２０７はテスト音声制御部１０６、２０６から通知される判断結果をインターフェース規則に則り外部制御装置４００、５００へ通知する。
【００３６】
ここで、特定のテスト音声データであるかどうかの判断は、音声の正常性を確認するコマンドに基いて行われる。
【００３７】
次に、携帯端末装置１００、２００があらかじめ決められた特定のテスト音声データを相互に送受信する場合の動作について説明する。
【００３８】
最初に、携帯端末装置１００において、外部制御装置４００は、インターフェース規則に則りテスト音声を送信するよう外部通信部１０７へ通知する。
【００３９】
次に、外部通信部１０７は、外部制御装置４００からテスト音声を送信する通知があった場合に、テスト音声制御部１０６に対してあらかじめ決められた特定のテスト音声データを生成し送信するよう指示する。
【００４０】
次に、テスト音声制御部１０６は、外部通信部１０７からの指示により特定のテスト音声データを生成し通信部１０１へ送る。
【００４１】
次に、通信部１０１はネットワークへ特定のテスト音声データを送信する。
【００４２】
そして、携帯端末装置２００において、通信部２０１はネットワークから音声データを受信する。
【００４３】
次に、通信部２０１で受信した音声データをテスト音声制御部２０６に送る。
【００４４】
次に、テスト音声制御部２０６は通信部２０１から送られてきた音声データが特定のテスト音声データであるかどうかを判断する。
【００４５】
次に、この音声データの判断結果を外部通信部２０７へ通知する。
【００４６】
次に、外部通信部２０７はテスト音声制御部２０６から通知される判断結果をインターフェース規則に則り外部制御装置５００へ通知する。
【００４７】
次に、外部制御装置５００は、インターフェース規則に則りテスト音声を送信するよう外部通信部２０７へ通知する。
【００４８】
次に、外部通信部２０７は、外部制御装置５００からテスト音声を送信する通知があった場合に、テスト音声制御部２０６に対して特定のテスト音声データを生成し送信するよう指示する。
【００４９】
次に、テスト音声制御部２０６は、外部通信部２０７からの指示により特定のテスト音声データを生成し２０１通信部へ送る。
【００５０】
通信部２０１はネットワークへ特定のテスト音声データを送信する。
【００５１】
そして、携帯端末装置１００において、通信部１０１はネットワークから音声データを受信する。
【００５２】
次に、通信部１０１で受信した音声データをテスト音声制御部１０６に送る。
【００５３】
次に、テスト音声制御部１０６は通信部１０１から送られてきた音声データが特定のテスト音声データであるかどうかを判断する。
【００５４】
次に、この音声データの判断結果を外部通信部１０７へ通知する。
【００５５】
次に、外部通信部１０７はテスト音声制御部１０６から通知される判断結果をインターフェース規則に則り外部制御装置４００へ通知する。
【００５６】
ここで、特定のテスト音声データであるかどうかの判断は、音声の正常性を確認するコマンドに基いて行われる。
【００５７】
このようにして、携帯端末装置１００、２００があらかじめ決められた特定のテスト音声データを相互に送受信することにより音声の正常性を確認する。
【００５８】
本発明の第１の実施の形態においては、以下のような効果を有する。
【００５９】
第１の効果は、様々な無線環境下で行う携帯端末装置の通信試験作業等において、多くの人手を必要とせずかつ外部に大がかりな治具を準備せずとも、試験作業者が行う音声確認と等価の動作を人手の介入無しで確認しているので、試験作業にかかる人件費用や設備費用をおさえることができることである。
【００６０】
第２の効果は、無線通信部分を外部から制御するためのコマンドと合わせて、音声の正常性を確認するコマンドを有することにより、自動試験を行う上での正常性の確認も精度が向上することである。
【００６１】
第３の効果は、通信されている音声データの段階で特定のデータかを判断しているので、音声が出力されるスピーカの性能にかかわらずかつ作業者が認識できるかどうかにかかわらず、自由な音声データで判断を行うことができることである。
【００６２】
（第２の実施の形態）
次に、図２を参照して、本発明の第２の実施の形態に係る携帯端末装置の構成及び携帯端末システムの構成について説明する。
【００６３】
第２の実施の形態に係る携帯端末装置は、その基本的構成は第１の実施の形態に係る携帯端末装置１００（図１参照）と同じである。よって、携帯端末装置１００自体の構成の説明は省略する。
【００６４】
第２の実施の形態に係る携帯端末装置１００は、携帯端末装置１００単体で音声の正常性を確認できる点が第１の実施の形態に係る携帯端末装置１００とは異なる。これは、携帯端末装置１００にネットワークを介してテスト音声サーバ６００が接続されているからである。
【００６５】
具体的には、第２の実施の形態では、図２に示すように、テスト音声サーバ６００はネットワークを通じて携帯端末装置１００からあらかじめ決められた特定のテスト音声データを受け取った場合、その音声の正常性を確認すると同時に、ネットワークを通じて携帯端末装置１００へ同じ特定のテスト音声データを折り返し送信するようになっている。
【００６６】
次に、携帯端末装置１００とテスト音声サーバ６００とがネットワークを介して相互に音声データを送受信する場合の動作について説明する。
【００６７】
まず、テスト音声サーバ６００は、ネットワークを通じて携帯端末装置１００から特定のテスト音声データを受け取った場合に、音声の正常性を確認すると共にネットワークを通じて携帯端末装置１００へ同じ特定のテスト音声データを折り返し送信する。
【００６８】
次に、携帯端末装置１００は、テスト音声サーバから折り返し送信された特定のテスト音声データを通信部１０１により受信してテスト音声制御部１０６に送る。
【００６９】
次に、テスト音声制御部１０６は通信部１０１から送られてきた音声データが特定のテスト音声データであるかどうかを判断する。
【００７０】
次に、この音声データの判断結果を外部通信部１０７へ通知する。
【００７１】
次に、外部通信部１０７はテスト音声制御部１０６から通知される判断結果をインターフェース規則に則り外部制御装置４００へ通知する。
【００７２】
ここで、特定のテスト音声データであるかどうかの判断は、音声の正常性を確認するコマンドに基いて行われる。
【００７３】
このように、本発明の第２の実施の形態では、テスト音声サーバ６００を携帯端末装置１００の接続先とすることにより、携帯端末装置１００から送信された特定のテスト音声データを折り返して自ら受信することがでる。この結果、携帯端末装置１００単体で音声の正常性を確認することができる。
【００７４】
以上、本発明の実施の形態について具体的に説明したが、本発明は上述の実施形態に限定されるものではなく、本発明技術的思想に基づく各種の変形が可能である。
【符号の説明】
【００７５】
３０  携帯端末装置
３１  通信部
３２  音声受信部
３３  スピーカ部
３４  音声送信部
３５  マイク部
３６  外部通信部
１００  携帯端末装置
１０１  通信部
１０２  音声受信部
１０３  スピーカ部
１０４  音声送信部
１０５  マイク部
１０６  テスト音声制御部
１０７  外部通信部
２００  携帯端末装置
２０１  通信部
２０２  音声受信部
２０３  スピーカ部
２０４  音声送信部
２０５  マイク部
２０６  テスト音声制御部
２０７  外部通信部
３００  外部制御装置  
４００  外部制御装置
５００  外部制御装置
６００  テスト音声サーバ
【図１】
2011082791.tif 000003
【図２】
2011082791.tif 000004
【図３】
2011082791.tif 000005